(57)【要約】【課題】  ガススプリング装置等の伸縮装置に横方向の外力等が付与されたときに、ガイド部材の変形を抑制して伸縮装置の横揺れを防止できるようにすること。【解決手段】  座部１１と、この座部１１の下側に設けられた脚部１２とを備えて椅子１０が構成されている。脚部１２は、上端が開放する形状を備えた支持パイプ２２と、この支持パイプ２２の内部に配置されたガススプリング装置２４と、支持パイプ２２の上端側に取り付けられたガイド部材２５とを備えて構成されている。ガイド部材２５は、ガススプリング装置２４の昇降軸２７を貫通する筒本体３５と、この筒本体３５の外周面から径方向外側に突出して支持パイプ２２の内周面に接する複数のリブ３６、これら筒本体３５及び各リブ３６の上部位置に設けられ、支持パイプ２２の上部内周面に接する領域を有する補強面部４３を備えたフランジ状部３７とを備えている。【選択図】      図２
2005256972.tif 000002
【特許請求の範囲】
【請求項１】
上端を開放する支持パイプの内部に配置された伸縮装置の横揺れを防止するガイド部材であって、
前記伸縮装置の昇降軸が貫通する筒本体と、この筒本体の外周から径方向外側に突出して先端が支持パイプの内周面に接する複数のリブと、これら筒本体及びリブの上部位置に設けられたフランジ状部とを備え、
前記フランジ状部は、支持パイプの上端に着座する着座部と、この着座部の内側に連なって形成されるとともに、支持パイプの上部内周面に接する領域を有する補強面部とを備えていることを特徴とするガイド部材。
【請求項２】
前記補強面部の下方位置には、当該補強面部と略平行に位置する複数のリブ補強部が設けられ、各リブ補強部は、隣り合うリブ及び筒本体に連なることを特徴とする請求項１記載のガイド部材。
【請求項３】
前記各リブ補強部は、筒本体の軸長における中心よりもフランジ状部に接近した位置に設けられていることを特徴とする請求項２記載のガイド部材。
【請求項４】
前記隣り合うリブの間には、筒本体の周方向に沿って複数の隙間が形成され、前記筒本体の周方向に沿って前記リブ補強部が形成された隙間と、リブ補強部が形成されていない隙間とが交互に位置するとともに、リブ補強部の上部に位置する補強面部には穴が形成されていることを特徴とする請求項２又は３記載のガイド部材。
【発明の詳細な説明】
【技術分野】
【０００１】
本発明は、ガイド部材に係り、更に詳しくは、伸縮装置の横揺れを防止し、当該伸縮装置の昇降軸をスムースに移動させることができるガイド部材に関する。
【背景技術】
【０００２】
従来より、椅子等にあっては、例えば、図１３に示されるように、座部５１の高さを調整するために脚部５２を伸縮自在としたものが知られている。この脚部５２は、上端を開放する支持パイプ５３と、この支持パイプ５３の上端側から挿入されるとともに、座部５１を下側から支持するガススプリング装置５５と、支持パイプ５３の上端側に取り付けられたガイド部材５６とを備えて構成されている。前記ガススプリング装置５５の上部にはプッシュバルブ５５Ａが設けられ、このプッシュバルブ５５Ａをレバー部材５７を介して押圧することにより、昇降軸５５Ｂを昇降させて座部５１の高さを調整できるようになっている。
【０００３】
また、ガイド部材５６は、図１４及び図１５に示されるように、ガススプリング装置５５の昇降軸５５Ｂを貫通する筒本体５９と、この筒本体５９の外周面から径方向外側に突出する複数のリブ６０と、リブ６０の上側において、隣り合うリブ６０の先端側を連結する外壁部６１と、これら筒本体５９、各リブ６０及び外壁部６１の上部に連なるとともに、支持パイプ５３の上端面に着座する片状のフランジ状部６２とを備えている。各リブ６０の外側端部は、支持パイプ５３の内周面に接触する一方、筒本体５９の内径寸法は、昇降軸５５Ｂの外径寸法と略同一に設定され、これにより、昇降軸５５Ｂの鉛直方向に沿う移動を案内する。
【発明の開示】
【発明が解決しようとする課題】
【０００４】
しかしながら、前述したガイド部材５６にあっては、座部５１に着座する者の姿勢によって、昇降軸５５Ｂに対し、その軸線が傾く方向や横方向の外力が付与される。当該外力によって、リブ６０が撓むように変形し、特に、ガイド部材５６の上部側では、リブ６０の上端側が前記外力の支点若しくは作用点として大きな荷重が加わるようになる。この状態において、フランジ状部６０が支持パイプ５３の上端に単に載っているだけであるため、支持パイプ５３の前記外力に対する抗力がリブ６０を介してフランジ状部６０に付与されて当該フランジ状部６０が撓み易くなり、昇降軸５５Ｂが横揺れしたり、軸線が傾いてしまうという不都合がある。その結果、筒本体５９と昇降軸５５Ｂとの摩擦抵抗が大きくなって昇降軸５５Ｂのガタや、動作不良を生じたり、動作時に異音が発生するという不都合を招来する。
【０００５】
［発明の目的］
本発明は、このような不都合に着目して案出されたものであり、その目的は、伸縮装置に横方向の外力等が付与されたとしても、これに耐え得る強度を付与して伸縮装置のガタつきや、横揺れを防止することができるガイド部材を提供することにある。
【課題を解決するための手段】
【０００６】
前記目的を達成するため、本発明は、上端を開放する支持パイプの内部に配置された伸縮装置の横揺れを防止するガイド部材であって、
前記伸縮装置の昇降軸が貫通する筒本体と、この筒本体の外周から径方向外側に突出して先端が支持パイプの内周面に接する複数のリブと、これら筒本体及びリブの上部位置に設けられたフランジ状部とを備え、
前記フランジ状部は、支持パイプの上端に着座する着座部と、この着座部の内側に連なって形成されるとともに、支持パイプの上部内周面に接する領域を有する補強面部とを備える、という構成を採っている。
【０００７】
本発明において、補強面部の下方位置には、当該補強面部と略平行に位置する複数のリブ補強部が設けられ、各リブ補強部は、隣り合うリブ及び筒本体に連なる、という構成が好ましくは採用される。
【０００８】
また、前記各リブ補強部は、筒本体の軸長における中心よりもフランジ状部に接近した位置に設けられる、という構成も採ることができる。
【０００９】
更に、隣り合うリブの間には、筒本体の周方向に沿って複数の隙間が形成され、前記筒本体の周方向に沿って前記リブ補強部が形成された隙間と、リブ補強部が形成されていない隙間とが交互に位置するとともに、リブ補強部の上部に位置する補強面部には穴が形成される、という構成を採ることが好ましい。
【発明の効果】
【００１０】
本発明によれば、伸縮装置に横揺れするような外力が付与されたとしも、当該外力に対する支持パイプ内周面による抗力が補強面部に直接的に付与されるようになり、フランジ状部の変形を抑制して伸縮装置の横揺れする方向の移動を規制することができる。これにより、例えば、伸縮装置を椅子の脚部に適用し、座部に着座する者が無理な姿勢をした場合であっても、伸縮装置がガタついたりすることはなく、伸縮装置の昇降軸のスムースな移動を許容して当該昇降軸の動作不良等を回避することが可能となる。
また、補強面部の下方位置に隣り合うリブ及び筒本体に連なるリブ補強部を設けたから、各リブの筒本体側の端部を補強でき、当該リブの変形を抑制することが可能となる。
更に、筒本体の軸長中心よりフランジ状部に接近した位置にリブ補強部を設けたので、構造を複雑にすることなく効果的な補強構造とすることができる。
また、前述したようにリブ補強部と補強面部の穴とを形成することで、ガイド部材を樹脂成形品とした場合であっても、前記穴をいわゆる抜き穴として脱型を容易に行うことができ、且つ、フランジ状部及び各リブをバランス良く補強することが可能となる。
【発明を実施するための最良の形態】
【００１１】
以下、本発明の実施の形態を図面を参照しながら説明する。
【００１２】
［第１実施形態］
図１には、本発明が脚部に適用された第１実施形態に係る椅子の概略斜視図が示されている。この図において、椅子１０は、座部１１と、この座部１１の下側に設けられた脚部１２と、座部１１の後方に設けられて上方に延びる連結部材１３と、この連結部材１３を介して支持された背もたれ１５とを備えて構成されている。
【００１３】
前記座部１１は、図２に示されるように、断面視略凹状をなす座部受け部１６を介して脚部１２の上部側に連結されている。この座部受け部１６の下面側には、脚部１２の上部側をカバーする円筒状のカバー部材１７が設けられている。また、座部受け部１６の図２中左側面には、操作レバー１８が同図中矢印Ｒ方向に回動可能に支持されており、この操作レバー１８によって後述するプッシュバルブを押圧操作できるようになっている。
【００１４】
前記脚部１２は、図１及び図２に示されるように、座部１１の下側から放射方向に延びるベース２０と、このベース２０の各先端側に設けられた複数のキャスター２１と、ベース２０から上方向に延びるとともに、上端が開放する形状を備えた支持パイプ２２と、この支持パイプ２２の内部に配置されるとともに、上部側が支持パイプ２２の上端から突出する伸縮装置としてのガススプリング装置２４と、支持パイプ２２の上端側に取り付けられたガイド部材２５とを備えて構成されている。ここで、支持パイプ２２は、特に限定されるものでないが、本実施形態では、スチール等の金属による構成されている。
【００１５】
前記ガススプリング装置２４は、実質的に、公知のガススプリング装置と同様の構造体によって構成することができる。具体的には、前記座部受け部１６に上端側が連結されるとともに、下端側が支持パイプ２２内に位置する略円筒状の昇降軸２７と、この昇降軸２７の下端側より進退するロッド２８とを備えている。ロッド２８の下端は、支持パイプ２２の内周面に固定されたプレート２９及び当該プレート２９上のゴム３０を貫通した状態で、Ｃリング３１等を介して固定されている。一方、昇降軸２７の上端側には、プッシュバルブ３３が設けられ、このプッシュバルブ３３を押圧したときに、ロッド２８の進退移動を介して昇降軸２７の昇降移動を許容するようになっている。
【００１６】
前記ガイド部材２５は、適宜な樹脂材を用いた一体成形品とされ、支持パイプ２２の上端側から圧入することで、当該上端側に取り付けられる。ガイド部材２５は、図３ないし図５に示されるように、前記昇降軸２７を貫通する略円筒状の筒本体３５と、この筒本体３５の外周面から径方向外側に突出するとともに、上下方向に沿って延びる複数のリブ３６と、これら筒本体３５及び各リブ３６の上部位置に設けられたフランジ状部３７と、このフランジ状部３７の下面から下方に延びるとともに、隣り合うリブ３６の先端側間に連なる複数の外壁部３８と、当該外壁部３８の下端側（図６中上端側）であって、隣り合うリブ３６間の隙間Ｓに形成された複数のリブ補強部３９とを備えている。
【００１７】
図７ないし図９に示されるように、筒本体３５の内径は、昇降軸２７の外径と略同一寸法に設定されている。一方、各リブ３６は、筒本体３５の周方向に沿って所定間隔毎に位置するとともに、先端が前記圧入によって支持パイプ２２の内周面に接するように設けられている。
【００１８】
前記フランジ状部３７は、図４及び図５に示されるように、支持パイプ２２の上端に着座するとともに、支持パイプ２２の外径よりも若干大きい外径を備えた着座部４２と、この着座部４２の下部内側と筒本体３５の上部外側との間に連なって形成されるとともに、筒本体３５の径方向に沿う円盤状の補強面部４３とを備えている。補強面部４３は、その外側端部が支持パイプ２２の上部内周面に接するように当該支持パイプ２２の内部に配置されている。これを更に詳述すると、補強面部４３の上面は、支持パイプ２２の上端面と略面一となり、且つ、筒本体３５の上端より若干低い位置に設定されている一方、補強面部４３の下面側は、支持パイプ２２の上端より下方に入り込んだ位置に設定されている。また、補強面部４３は、図３及び図９に示されるように、筒本体３５の周方向に沿って一定間隔毎に形成された穴４４を備えている。具体的には、穴４４によって上方が開放された隙間Ｓと、補強面部４３によって上方が閉塞された隙間Ｓとが筒本体３５の周方向に沿って交互に位置するようになっている。
【００１９】
図７及び図８に示されるように、各外壁部３８の厚さは、筒本体３５の厚さと略同一に設定されているとともに、外壁部３８の外面は、支持パイプ２２の上部内周面に略接するように設けられている。従って、前記各隙間Ｓの上方領域は、外壁部３８と筒本体３５との相対面間に位置することとなる。また、各外壁部３８の下端は、筒本体３５の軸長における中心よりもフランジ状部３７に接近した位置に設定されている。
【００２０】
前記各リブ補強部３９は、図４、図６及び図８に示されるように、補強面部４３と略平行に位置する片状にそれぞれ設けられるとともに、隙間Ｓ内に位置して隣り合うリブ３６の相対面、筒本体３５の外面及び外壁部３８の下部内周面に連なって形成されている。従って、各リブ補強部３９は、筒本体３５の軸長における中心よりもフランジ状部３７に接近した位置に配置される。また、図７ないし図９に示されるように、各リブ補強部３９は、前記各隙間Ｓのうち、上方に補強面部４３の穴４４が形成されていない隙間Ｓにそれぞれ設けられている。換言すれば、リブ補強部３９の上部に位置する補強面部４３には穴４４が形成されており、リブ補強部３９が形成された隙間Ｓと、リブ補強部３９が形成されていない隙間Ｓとが筒本体３５の周方向に沿って交互に位置するようになっている。
【００２１】
ここで、特に限定されるものでないが、本実施形態では、筒本体３５の軸長が約８０ｍｍのものが用いられている。従って、各リブ補強部３９は、筒本体３５の軸長における中心位置、すなわち、フランジ状部３７との離間距離が約４０ｍｍとなる位置よりもフランジ状部３７に接近するように設けられ、これによって、フランジ状部３７より下方において各リブ３６を効果的に補強することができる。
【００２２】
以上の構成において、前述した操作レバー１８を操作してプッシュバルブ３３を押圧することにより、昇降軸２７を軸方向に上昇若しくは下降して座部１１の高さ調整を行うことができ、プッシュバルブ３３の押圧を解除した位置で、昇降軸２７及び座部１１の高さ位置を固定することができる。
【００２３】
ここで、座部１１に着座した者が姿勢を変えたり、座部１１の外周寄りの位置に着座した場合、昇降軸２７に横方向や軸線が傾く方向の外力が付与される。当該外力によって、ガイド部材２５は昇降軸２７及び支持パイプ２２から圧縮されるような荷重を受け、特に、昇降軸２７が傾いた場合、リブ３６の上端側が外力の支点若しくは作用点となって大きな荷重を受ける。この際、前記外力に対して支持パイプ２２の内周面からガイド部材２５を介して昇降軸２７に抗力が付与されるが、この抗力の付与は、各リブ３６を介して行われる他、ガイド部材２５の上部側で補強面部４３を介して行われるとともに、ガイド部材２５の上下方向中間部でリブ補強部３９を介して行われる。これにより、ガイド部材２５の変形が抑制され、昇降軸２７の横揺れ移動や軸線が傾く方向の移動が規制される。
【００２４】
なお、ガイド部材２５を一体成形するときに、補強面部４３の各穴４４と、リブ補強部３９が形成されていない隙間Ｓの外壁部３８の下部側は、抜き穴として利用される。
【００２５】
従って、このような第１実施形態によれば、補強面部４３の外側端部が支持パイプ２２の上部内周面に接するので、当該支持パイプ２２の上部において、前記抗力が支持パイプ２２の内周面から補強面部４３に直接的に作用するようになり、フランジ状部３７の変形を回避して前記外力及び抗力に対する補強効果を十分に得ることが可能となる。しかも、補強面部４３とリブ補強部３９とにより上下の二箇所位置で各リブ３６が補強され、カバー部材１７と支持パイプ２２が干渉したり、ロッド２８に無理な負荷が付与されることを防止して、昇降軸２７及び座部１１の昇降をスムースに行うことが可能となる。
【００２６】
［第２実施形態］
次に、本発明に係る第２実施形態を図１０〜図１２を参照しながら説明する。なお、以下の説明において、第１実施形態と実質的に同一の部分については同一符号を用いるものとし、説明を省略する。
【００２７】
この第２実施形態は、前述したフランジ状部３７の着座部４２及び補強面部４３と、筒本体３５の上端面とを略面一に形成したものである。これによっても、第１実施形態と同様の効果が得られる他、補強面部４３が厚肉となって当該補強面部４３をより補強することが可能となる。
【００２８】
本発明を実施するための最良の構成などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した構成は、本発明の理解を容易にするために例示的に記載したものであり、本発明を限定するものではないから、それらの形状などの限定の一部若しくは全部の限定を外した部材の名称での記載は、本発明に含まれるものである。
例えば、ガイド部材２５のリブ補強部３９は、筒本体３９の軸方向に沿う複数箇所に設けてもよい。
また、リブ補強部３９を省略するとともに、補強面部４３に穴４４を設けない構成としてもよいが、リブ補強部３９を設けた方が、各リブ３６の上下方向中間部で補強できる点で有利となる。
更に、前記各実施形態では、本発明を椅子１０に適用した場合を説明したが、例えば、天板の高さを調整できるテーブルの脚部に適用する等、種々の設計変更が可能である。また、伸縮装置をガススプリング装置２４としたが、伸縮自在なテレスコピック構造を有する伸縮装置に本発明のガイド部材２５を採用してもよい。
【産業上の利用可能性】
【００２９】
本発明は、主として、椅子の脚部等に用いられる伸縮装置に利用される。
【図面の簡単な説明】
【００３０】
【図１】第１実施形態に係るガイド部材が適用された椅子の概略斜視図。
【図２】図１の一部を縦断面視した正面図。
【図３】図１の脚部を一部断面視した要部拡大斜視図。
【図４】図３のＡ−Ａ線に沿う断面図。
【図５】図３のＢ−Ｂ線に沿う断面図。
【図６】図３のガイド部材を反転させた状態の斜視図。
【図７】図４のＣ−Ｃ線に沿う拡大断面図。
【図８】図４のＤ−Ｄ線に沿う拡大断面図。
【図９】図４のＥ−Ｅ線に沿う拡大断面図。
【図１０】第２実施形態に係るガイド部材を示す図３と同様の斜視図。
【図１１】第２実施形態に係るガイド部材の図４と同様の断面図。
【図１２】第２実施形態に係るガイド部材の図５と同様の断面図。
【図１３】従来例に係る椅子及びガイド部材の一部を縦断面視した正面図。
【図１４】図１３の要部拡大図。
【図１５】図１３のガイド部材の概略斜視図。
【符号の説明】
【００３１】
２２  支持パイプ
２４  ガススプリング装置（伸縮装置）
２５  ガイド部材
２７  昇降軸
３５  筒本体
３６  リブ
３７  フランジ状部
３９  リブ補強部
４２  着座部
４３  補強面部
４４  穴
Ｓ  隙間
【図１】
2005256972.tif 000003
【図２】
2005256972.tif 000004
【図３】
2005256972.tif 000005
【図４】
2005256972.tif 000006
【図５】
2005256972.tif 000007
【図６】
2005256972.tif 000008
【図７】
2005256972.tif 000009
【図８】
2005256972.tif 000010
【図９】
2005256972.tif 000011
【図１０】
2005256972.tif 000012
【図１１】
2005256972.tif 000013
【図１２】
2005256972.tif 000014
【図１３】
2005256972.tif 000015
【図１４】
2005256972.tif 000016
【図１５】
2005256972.tif 000017